(57)【要約】    【課題】  各種のスポーツ競技場やイベント会場に持ち込み使用して、応援や記録、飲食などを便利良く行なえるようにする。    【解決手段】  四角形の硬質な芯板（Ｂ）を断面ほぼＵ字型の軟質合成樹脂製包装袋（Ｃ）内へ差し入れ起立させ、その包装袋（Ｃ）の表裏両膜（２）（３）における何れか一方の開口上縁部を芯板（Ｂ）の上縁部へ折り返し被覆状態に貼り付けて、同じく包装袋（Ｃ）に残る他方の開口上縁部との向かい合う相互間へ、１本の吊り下げ紐（５）を遊挿して無端化することにより、閉合状態での携帯可能に連繋すると共に、上記芯板（Ｂ）へ飲料容器受け（８）と上記包装袋（Ｃ）へ飲料容器逃し入れ口（９）とを各々対応形成した。【選択図】  図７
2005052328.tif 000002
【特許請求の範囲】
【請求項１】
四角形の硬質な厚紙、合成樹脂又は合板から成る袋保形用芯板（Ｂ）と、軟質合成樹脂膜から芯板（Ｂ）を包囲できる対応的な大きさ・形状の断面ほぼＵ字型に形成された包装袋（Ｃ）と、１本の無端化された吊り下げ紐（５）とを備え、
上記芯板（Ｂ）を包装袋（Ｃ）内へ差し入れ起立させて、その包装袋（Ｃ）における向かい合う表膜（２）と裏膜（３）とのうち、何れか一方の開口上縁部を上記芯板（Ｂ）の対応する上縁部へ折り返し被覆状態に貼り付け一体化し、
その貼り付け状態にある一方の開口上縁部と、上記包装袋（Ｃ）に残る他方のフリーな開口上縁部とを、その左右両端位置の貫通孔（４）（４）へ遊挿された上記吊り下げ紐（５）により、互いに閉合した状態での携帯可能に連繋すると共に、
上記芯板（Ｂ）の左上半部又は／及び右上半部へ飲料容器受け（８）と、上記包装袋（Ｃ）の表膜（２）又は裏膜（３）へその飲料容器受け（８）と連通する飲料容器逃し入れ口（９）とを、各々対応形成したことを特徴とする携帯式包装ボード。
【請求項２】
芯板（Ｂ）の表面又は／及び裏面をスポーツ競技や競艇、競輪、その他の各種イベント主催団体の広告となる統一的な標章（１ａ）が印刷された化粧面とする一方、
包装袋（Ｃ）を透明又は半透明の合成樹脂膜から形成したことを特徴とする請求項１記載の携帯式包装ボード。
【請求項３】
芯板（Ｂ）の下縁部へ包装袋（Ｃ）の保形用底板片（６）を折り曲げ自在に枢支連続させたことを特徴とする請求項１記載の携帯式包装ボード。
【請求項４】
芯板（Ｂ）を使用者各自のメッセージとなる標章（１ｂ）の筆記可能なホワイトボードとして、その筆記具逃し入れ窓（１２）を包装袋（Ｃ）の表膜（２）又は裏膜（３）に切り抜いたことを特徴とする請求項１記載の携帯式包装ボード。
【請求項５】
芯板（Ｂ）の上縁中央部を提げ手（１１）として、包装袋（Ｃ）の開口上縁部から一定高さ（Ｈ）だけ張り出し起立させると共に、
上記提げ手（１１）に飲料容器受け（８）をその開口径が大小変化する複数個の連通長孔形態に切り抜いて、その内部へ指先を差し入れることもできるように定めたことを特徴とする請求項１記載の携帯式包装ボード。
【請求項６】
四角形の硬質な厚紙、合成樹脂又は合板から断面ほぼＵ字型に屈曲形成された袋保形用芯板（Ｂ）と、軟質合成樹脂膜から芯板（Ｂ）を包囲できる対応的な大きさ・形状の断面ほぼＵ字形に形成された包装袋（Ｃ）と、１本の無端化された吊り下げ紐（５）とを備え、
上記芯板（Ｂ）を包装袋（Ｃ）内へ差し入れ起立させて、その包装袋（Ｃ）における向かい合う表裏両膜（２）（３）の開口上縁部を、上記芯板（Ｂ）の対応的に向かい合う表裏両板片（１３）（１４）の上縁部へ、各々折り返し被覆状態に貼り付け一体化し、
その貼り付け状態にある開口上縁部同志を、その左右両端位置の貫通孔（４）（４）へ遊挿された上記吊り下げ紐（５）により、互いに閉合した状態での携帯可能に連繋すると共に、
上記芯板（Ｂ）における表裏両板片（１３）（１４）の左上半部又は／及び右上半部へ飲料容器受け（８）（８）と、上記包装袋（Ｃ）の表裏両膜（２）（３）へその飲料容器受け（８）（８）と連通する飲料容器逃し入れ口（９）（９）とを、各々対応形成したことを特徴とする携帯式包装ボード。
【請求項７】
芯板（Ｂ）の表板片（１３）又は／及び裏板片（１４）をスポーツ競技や競艇、競輪、その他の各種イベント主催団体の広告となる統一的な標章（１ａ）が印刷された化粧面とする一方、
包装袋（Ｃ）を透明又は半透明の合成樹脂膜から形成したことを特徴とする請求項６記載の携帯式包装ボード。
【請求項８】
芯板（Ｂ）における表裏両板片（１３）（１４）の何れか一方を使用者各自のメッセージとなる標章（１ｂ）の筆記可能なホワイトボードとして、その筆記具逃し入れ窓（１２）を包装袋（Ｃ）の対応する表膜（２）又は裏膜（３）に切り抜いたことを特徴とする請求項６記載の携帯式包装ボード。
【請求項９】
包装袋（Ｃ）を不透明の合成樹脂膜から形成して、その表膜（２）又は／及び裏膜（３）へスポーツ競技や競艇、競輪、その他の各種イベント主催団体の広告となる統一的な標章（１ａ）を印刷したことを特徴とする請求項１又は６記載の携帯式包装ボード。
【請求項１０】
１本の無端化された吊り下げ紐（５）を、その一重として引き伸ばすことにより使用者の首部へ巻き掛けた時、若干後下がり傾斜状態の簡易テーブルとなる芯板（Ｂ）の後下縁部が、着席した使用者の腹部へ当たる程度の一定長さに寸法化したことを特徴とする請求項１又は６記載の携帯式包装ボード。
【発明の詳細な説明】
【技術分野】
【０００１】
本発明はスポーツ競技場や競艇場、競輪場、その他の各種イベント会場へ持ち込み使用して、応援や記録、飲食などを便利良く行なえる携帯式包装ボードに関する。
【背景技術】
【０００２】
例えば、プロ野球やサッカーなどの競技場に持ち込み使用する応援用ボードとして、特開２００２−１６９４７６号が提案されており、これではボード本体（１）（１１）（２１）の一面がチームキャラクター等の印刷された印刷化粧面（２）（１２）（２２）をなす一方、他面が消去可能なホワイトボード状筆記面（３）（１３）（２３）をなし、少なくとも二つ折り以上の折りたたみ自在に構成されている。
【特許文献１】特開２００２−１６９４７６号公報
【発明の開示】
【発明が解決しようとする課題】
【０００３】
ところが、上記公知発明はあくまでも頭上に振りかざしたり、胸の前で左右に振ったりして使うスポーツ競技の応援用ボードであって、メガホンや帽子、法被、笛、風船、その他の応援用具を収納することが不可能であり、まして観戦中に飲食したり、成績などを記録したりすることには使用することができず、未だ利便性と汎用性に劣る。
【課題を解決するための手段】
【０００４】
本発明はこのような課題の解決に役立つ携帯式包装ボードの構成として、第１に四角形の硬質な厚紙、合成樹脂又は合板から成る袋保形用芯板と、軟質合成樹脂膜から芯板を包囲できる対応的な大きさ・形状の断面ほぼＵ字型に形成された包装袋と、１本の無端化された吊り下げ紐とを備え、
【０００５】
上記芯板を包装袋内へ差し入れ起立させて、その包装袋における向かい合う表膜と裏膜とのうち、何れか一方の開口上縁部を上記芯板の対応する上縁部へ折り返し被覆状態に貼り付け一体化し、
【０００６】
その貼り付け状態にある一方の開口上縁部と、上記包装袋に残る他方のフリーな開口上縁部とを、その左右両端位置の貫通孔へ遊挿された上記吊り下げ紐により、互いに閉合した状態での携帯可能に連繋すると共に、
【０００７】
上記芯板の左上半部又は／及び右上半部へ飲料容器受けと、上記包装袋の表膜又は裏膜へその飲料容器受けと連通する飲料容器逃し入れ口とを、各々対応形成したことを特徴とし、
【０００８】
又、第２に四角形の硬質な厚紙、合成樹脂又は合板から断面ほぼＵ字型に屈曲形成された袋保形用芯板と、軟質合成樹脂膜から芯板を包囲できる対応的な大きさ・形状の断面ほぼＵ字形に形成された包装袋と、１本の無端化された吊り下げ紐とを備え、
【０００９】
上記芯板を包装袋内へ差し入れ起立させて、その包装袋における向かい合う表裏両膜の開口上縁部を、上記芯板の対応的に向かい合う表裏両板片の上縁部へ、各々折り返し被覆状態に貼り付け一体化し、
【００１０】
その貼り付け状態にある開口上縁部同志を、その左右両端位置の貫通孔へ遊挿された上記吊り下げ紐により、互いに閉合した状態での携帯可能に連繋すると共に、
【００１１】
上記芯板における表裏両板片の左上半部又は／及び右上半部へ飲料容器受けと、上記包装袋の表裏両膜へその飲料容器受けと連通する飲料容器逃し入れ口とを、各々対応形成したことを特徴とするものである。
【発明の効果】
【００１２】
第１の特徴とする本発明の上記構成によれば、芯板の包装袋内へスポーツ競技の応援用具や筆記具、その他の物品を収納して、その吊り下げ紐での閉合状態に保ちつつ、スポーツ競技場や競艇場、競輪場、その他の各種イベント会場へ持ち込み使用することができる。
【００１３】
そして、上記吊り下げ紐を一重として長く引き伸ばすことにより、着席した使用者の首部へ巻き掛けて、若干後下がりの傾斜状態となる芯板の後下縁部を使用者の腹部へ当てがえば、その芯板を簡易テーブルとして上記筆記具により競技成績や日誌などの記録を便利良く行なえる。
【００１４】
しかも、上記芯板には飲料容器受けが、又包装袋にはその飲料容器受けと連通する飲料容器逃し入れ口が各々対応形成されているため、その飲料容器逃し入れ口から飲料容器受けへ紙コップや飲料缶などの飲料容器を差し込み起立させることにより、上記芯板をやはり簡易テーブルとして、スポーツ競技や競艇、競輪などの観戦中に、便利良く飲食することもできるのである。
【００１５】
他方、第２の特徴とする本発明の上記構成によれば、上記諸効果を得られるほかに、その包装袋の保形性を昂めることができ、繰り返し使用に耐える効果もある。
【発明を実施するための最良の形態】
【００１６】
以下、図面に基いて本発明の具体的構成を詳述すると、その携帯式包装ボードの第１実施形態を示した図１〜１４において、（Ｂ）は四角形の硬質な厚紙、合成樹脂又は合板から大きくともＡ２サイズ（好ましくはＡ３サイズ程度）の大きさに形成された袋保形用芯板であり、その表面又は／及び裏面が化粧面として、ここには例えばプロ野球のチーム名やチームキャラクターを初め、競艇や競馬、屋外音楽コンサート、その他の各種イベントを主催する団体の広告・宣伝となる文字、図形、記号若しくはこれらの結合、又はこれらと色彩との結合から成る標章（１ａ）が印刷されている。
【００１７】
このような標章（１ａ）は、大勢の使用者がスポーツ競技場や競艇場、その他の各種イベント会場へ本発明を持ち込み使用した時、統一的な視覚効果を発揮させるためのものであり、上記芯板（Ｂ）へ直かに印刷する方法のほか、これが印刷された別個な合成樹脂の化粧フィルムを、その芯板（Ｂ）へラミネートしても良い。
【００１８】
（Ｃ）はビニールやナイロン、その他の軟質な合成樹脂膜から、上記芯板（Ｂ）を包囲できる対応的な大きさ・形状の断面ほぼＵ字型に形成された包装袋であり、その内部へ上方から差し入れ起立された上記芯板（Ｂ）が、軟質な包装袋（Ｃ）を保形状態に維持することとなる。
【００１９】
（２）（３）は上記芯板（Ｂ）の表裏両面に対応位置する包装袋（Ｃ）の表膜と裏膜であり、その何れか一方（図例では表膜）の開口上縁部が芯板（Ｂ）の上縁部を被覆する内向き折り返し膜片（２ｆ）として、その芯板（Ｂ）の裏面へ接着剤により貼り付け一体化されている。そのため、芯板（Ｂ）とその包装袋（Ｃ）との分解してしまうおそれはない。
【００２０】
そして、同じく包装袋（Ｃ）に残る他方（図例では裏膜）の開口上縁部も、内向き折り返し膜片（３ｒ）を具備しているが、このような他方の開口上縁部は上記芯板（Ｂ）から遊離したフリーの状態に放任されており、上記芯板（Ｂ）への貼り付け状態にある一方の開口上縁部と相俟って、スポーツ競技の応援用具や筆記具、その他の物品出し入れ口（Ｓ）を画定している。
【００２１】
（４）（４）は上記芯板（Ｂ）への貼り付け状態にある一方の開口上縁部と、残る他方のフリーな開口上縁部とを貫通する状態として、その左右両端位置に開口分布された一対の貫通孔であり、図示省略してあるが、その各個には開口縁部の保護用となるハトメを嵌め付け一体化しても良い。
【００２２】
又、（５）は１本の吊り下げ紐であり、これを上記貫通孔（４）（４）の一対へ遊挿して無端化することにより、上記包装袋（Ｃ）の表裏両膜（２）（３）がその物品出し入れ口（Ｓ）を閉合した状態での携帯可能に連繋されている。
【００２３】
つまり、上記応援用具や筆記具、その他の物品（Ａ）が図１〜３のように包装袋（Ｃ）内へ収納された本発明を、二重に短縮した吊り下げ紐（５）により携帯すれば、その吊り下げ紐（５）が緊張するため、上記包装袋（Ｃ）における表裏両膜（２）（３）の開口上縁部同志が、自づと閉合することになる。
【００２４】
殊更、上記吊り下げ紐（５）を一重として引き伸ばし使用した場合には、その中途部が図４のように上記貫通孔（４）（４）の左右相互間を包装袋（Ｃ）の開口上縁部に沿って、緊張状態に延在することとなる結果、その包装袋（Ｃ）の物品出し入れ口（Ｓ）をますます確実な密着状態に閉合させることができる。
【００２５】
その吊り下げ紐（５）の長さは、これを一重として引き伸ばすことにより使用者の首部へ巻き掛け時、図１３のように若干後下がり傾斜状態の簡易テーブルとなる芯板（Ｂ）の後下縁部が、着席した使用者の腹部へ当たる程度に寸法化することが好ましい。
【００２６】
（６）は上記芯板（Ｂ）の下縁部へ薄肉なヒンジ（７）を介して、折り曲げ自在に枢支連続された包装袋（Ｃ）の保形用底板片であり、これを水平に展開使用すれば、図５〜７のように包装袋（Ｃ）を垂れ下がらないように保形することができる。
【００２７】
（８）は上記四角形な芯板（Ｂ）の右上半部又は／及び左上半部に設けられた飲料容器受け、（９）は上記包装袋（Ｃ）の表膜（２）又は裏膜（３）へ、その飲料容器受け（８）と連通する対応位置関係として切り抜かれた飲料容器逃し入れ口であり、図８〜１２から明白なように、その逃し入れ口（９）を通じて上記芯板（Ｂ）の飲料容器受け（８）へ、紙コップや飲料缶などの飲料容器（１０）を差し込み起立させることができるようになっている。
【００２８】
その場合、飲料容器受け（８）としては、これを上記芯板（Ｂ）へ一定な開口径の円形に切り抜いても良い。飲料容器（１０）が紙コップの場合には、その下細り円錐型をなす通例のため、これを常に安定良く受け止め保持することができるからである。
【００２９】
但し、太さが異なる円筒型の飲料缶を支障なく受け止め保持するためには、図８、９に示唆するような同芯のサークル状スリット（８ａ）と、これから求心方向に向かう多数の分割状スリット（８ｂ）とを、上記芯板（Ｂ）へ切り込み薄肉化しておき、その飲料缶の太さに応じてスリット（８ａ）（８ｂ）から押し下げることにより、その飲料缶の段部を受け止め保持できるように定めることが好ましい。その同芯のサークル状スリット（８ａ）をノックアウト孔として、打ち抜き使用できるように定めることも考えられる。
【００３０】
又、上記芯板（Ｂ）の上縁中央部を図１５、１６のような提げ手（１１）として、包装袋（Ｃ）の開口上縁部から意図的に一定高さ（Ｈ）だけ張り出し起立させ、ここへ飲料容器受け（８）を特にその開口径が大小変化する複数個（図例では３個）の連通長孔形態に切り抜いて、太さが異なる飲料容器（１０）を受け止め保持することができるように、しかもその飲料容器受け（８）へ指先を差し入れて手提げ使用できるように定めても良い。
【００３１】
更に、上記芯板（Ｂ）をホワイトボード用マーカーなどによる筆記とその消去の可能なホワイトボードとして、その表面へ図１７のような使用者各自のメッセージとなる標章（１ｂ）を筆記できるように定めても良い。その標章（１ｂ）は、例えばスポーツ競技の選手に対する使用者各自の応援文字などとして、言わば不統一の自由自在に筆記されるものである。
【００３２】
その場合には、上記芯板（ホワイトボード）（Ｂ）を包囲している包装袋（Ｃ）の対応的な表膜（２）へ、図１７のようにその筆記具逃し入れ窓（１２）を切り抜いておき、ここから上記マーカーなどの筆記具を差し入れて、ホワイトボードへ標章（１ｂ）を筆記又は消去できるように定める。尚、そのホワイトボードの裏面には上記チーム名やチームキャラクターなどの統一的な標章（１ａ）を印刷しておくことが好ましい。
【００３３】
次に、図１８〜２０は本発明の第２実施形態を示しており、これでは保形用芯板（Ｂ）が向かい合う表板片（１３）と裏板片（１４）並びに底板片（６）を備えた断面ほぼＵ字型に屈曲形成されている。このような断面ほぼＵ字型の芯板（Ｂ）は、硬質な厚紙、合成樹脂又は合板に加工された薄肉なヒンジ（１５）（１６）から折り曲げることによって形成することができ、その表裏方向から見た大きさ・形状は上記第１実施形態の芯板（Ｂ）と同じであり、やはり包装袋（Ｃ）の内部へ差し入れ起立されている。
【００３４】
その場合、包装袋（Ｃ）における向かい合う表裏両膜（２）（３）の開口上縁部はやはり内向き折り返し膜片（２ｆ）（３ｒ）として、上記芯板（Ｂ）の対応的に向かい合う表裏両板片（１３）（１４）の上縁部へ被覆状態に折り返えされ、且つ接着剤によって貼り付け一体化されている。
【００３５】
そして、その貼り付け状態にある開口上縁部同志の左右両端位置には、一対の貫通孔（４）（４）が開口分布されているため、ここへ１本の吊り下げ紐（５）を遊挿して無端化することにより、上記包装袋（Ｃ）の物品出し入れ口（Ｓ）が閉合した状態での携帯可能に連繋されている。
【００３６】
又、第２実施形態では飲料容器受け（８）（８）が芯板（Ｂ）の表裏両板片（１３）（１４）に設けられており、これと連通する飲料容器逃し入れ口（９）（９）も、包装袋（Ｃ）の表裏両膜（２）（３）へ対応的に切り抜かれている。そのため、表裏の区別なく使用することができる。上記チーム名やチームキャラクターなどの統一的な標章（１ａ）は、芯板（Ｂ）の表板片（１３）又は／及び裏板片（１４）に印刷されている。その何れか一方又は双方が印刷化粧面をなすわけである。
【００３７】
特に、第２実施形態の場合図示省略してあるが、芯板（Ｂ）における表裏両板片（１３）（１４）の何れか一方を使用者各自のメッセージとなる標章（１ｂ）の筆記可能なホワイトボードとして、合成樹脂から成る残りの他方と折り曲げ自在に枢支連続させると共に、その筆記具逃し入れ窓（１２）を上記第１実施形態に準じて、包装袋（Ｃ）の対応する表膜（２）又は裏膜（３）に切り抜いても良い。
【００３８】
更には、芯板（Ｂ）の表板片（１３）と裏板片（１４）とを上記薄肉なヒンジ（１５）（１６）の廻りに展開して、その約２倍の大きさに拡大使用できるように定めても良い。芯板（Ｂ）の包装袋（Ｃ）は軟質合成樹脂膜から成り、しかも吊り下げ紐（５）はその貫通孔（４）（４）へ遊挿されているため、このような展開使用も可能であって、スポーツ競技の応援用に有効となる。
【００３９】
尚、第２実施形態におけるその他の構成は上記第１実施形態と実質的に同一であるため、その図１８〜２０に図１〜１７との対応符号を記入するにとどめて、その詳細な説明を省略する。
【００４０】
第１、２実施形態の何れにあっても、その芯板（Ｂ）の包装袋（Ｃ）としてはこれを透明又は半透明の軟質合成樹脂膜から形成することが好ましい。そうすれば、その芯板（Ｂ）の上記化粧面に印刷された標章（１ａ）を、包装袋（Ｃ）の外部から透視できるため、芯板（Ｂ）の包装状態においてスポーツ競技の応援用に供することができるほか、そのスポーツ競技場やその他の各種イベント会場へ警備上の検問を受けることなく、安全に持ち込み使用し得るからである。
【００４１】
但し、芯板（Ｂ）の表面（表板片）又は／及び裏面（裏板片）へ上記標章（１ａ）を印刷する代りに、不透明な合成樹脂膜から成る包装袋（Ｃ）の表膜（２）又は／及び裏膜（３）へ、その標章（１ａ）を印刷することによって、包装袋（Ｃ）に収納された応援用具や筆記具などの物品（Ａ）を、外部からの透視不能に隠蔽してもさしつかえない。
【００４２】
本発明は携帯式包装ボードとして、上記のように構成されているため、これを例えばプロ野球やサッカーなどのスポーツ競技場へ持ち込んで、そのチーム名やチームキャラクターなどの統一的な標章（１ａ）が印刷されている芯板（Ｂ）を図１４のように、使用者が両手で把持しつつ一斉に揚げ動かして、その標章（１ａ）によるチームの応援に供することができる。
【００４３】
又、上記包装ボードの吊り下げ紐（５）を一重として長く引き伸ばし、図１３のような着席した使用者の首部へ巻き掛けて、その若干後下がり傾斜状態となる芯板（Ｂ）の後下縁部を腹部へ当てがうならば、その芯板（Ｂ）を簡易テーブルとして、これに設置されている飲料容器受け（８）へ、包装袋（Ｃ）の対応的な飲料容器逃し入れ口（９）から紙コップや飲料缶などの飲料容器（１０）を、安定良く差し込み起立させることができ、上記スポーツ競技のほか、競艇や競馬、競輪などの観戦中に、便利良く飲食することも可能となる。
【００４４】
更に、芯板（Ｂ）の包装袋（Ｃ）はその開口上縁部において、袋保形用芯板（Ｂ）の対応的な上縁部へ折り返し被覆状態に貼り付け一体化されており、１本の吊り下げ紐（５）により物品出し入れ口（Ｓ）の閉合した状態として、携帯できるように連繋されているため、上記包装袋（Ｃ）の内部へ図７のようにスポーツ競技の応援用具や筆記具、その他の物品（Ａ）を収納することも可能であり、その応援用具によるチームの応援のみならず、上記芯板（Ｂ）をやはり図１３のような簡易テーブルとして、その筆記具による競技成績や日誌などの記録も便利良く行なえる。
【００４５】
そして、上記何れの使用中にあっても、芯板（Ｂ）は軟質な合成樹脂膜から包装袋（Ｃ）によって包囲されているため、これを芯板（Ｂ）の防水膜として、降雨時でも支障なく使用することができ、特に芯板（Ｂ）を軽量な厚紙から形成する場合に、著しく有益である。
【図面の簡単な説明】
【００４６】
【図１】本発明に係る携帯式包装ボードの第１実施形態を示す斜面図である。
【図２】図１の正面図である。
【図３】図２の３−３線に沿う拡大断面図である。
【図４】吊り下げ紐を長く引き伸ばした状態を示す図３に対応する断面図である。
【図５】芯板の底板片を展開した状態の図１に対応する斜面図である。
【図６】図５の拡大断面図であり、図３に対応する。
【図７】物品の収納状態を示す図６に対応する断面図である。
【図８】芯板の飲料容器受けを抽出して示す拡大平面図である。
【図９】図８の９−９線に沿う拡大断面図である。
【図１０】飲料容器受けに対する細い紙コップの差し込み使用状態を示す断面図である。
【図１１】同じく太い紙コップの差し込み使用状態を示す図１０に対応する断面図である。
【図１２】同じく飲料容器受けに対する飲料缶の差し込み使用状態を示す図１０に対応する断面図である。
【図１３】本発明を簡易テーブルとして使用した状態の説明図である。
【図１４】本発明をスポーツ競技の応援ボードとして使用した状態の説明図である。
【図１５】第１実施形態の部分変形例を示す図５に対応する斜面図である。
【図１６】図１５の１６−１６線に沿う拡大断面図である。
【図１７】第１実施形態の別な部分変形例を示す斜面図である。
【図１８】本発明に係る携帯式包装ボードの第２実施形態を示す斜面図である。
【図１９】図１８の１９−１９線に沿う拡大断面図である。
【図２０】図１９の２０−２０線断面図である。
【符号の説明】
【００４７】
（１ａ）（１ｂ）・標章
（２）・表膜
（３）・裏膜
（２ｆ）（３ｒ）・内向き折り返し膜片
（４）・貫通孔
（５）・吊り下げ紐
（６）・底板片
（７）（１５）（１６）・ヒンジ
（８）・飲料容器受け
（９）・飲料容器逃し入れ口
（１０）・飲料容器（紙コップや飲料缶）
（１１）・提げ手
（１２）・筆記具逃し入れ窓
（１３）・表板片
（１４）・裏板片
（Ａ）・物品
（Ｂ）・芯板
（Ｃ）・包装袋
（Ｓ）・物品出し入れ口
【図１】
2005052328.tif 000003
【図２】
2005052328.tif 000004
【図３】
2005052328.tif 000005
【図４】
2005052328.tif 000006
【図５】
2005052328.tif 000007
【図６】
2005052328.tif 000008
【図７】
2005052328.tif 000009
【図８】
2005052328.tif 000010
【図９】
2005052328.tif 000011
【図１０】
2005052328.tif 000012
【図１１】
2005052328.tif 000013
【図１２】
2005052328.tif 000014
【図１３】
2005052328.tif 000015
【図１４】
2005052328.tif 000016
【図１５】
2005052328.tif 000017
【図１６】
2005052328.tif 000018
【図１７】
2005052328.tif 000019
【図１８】
2005052328.tif 000020
【図１９】
2005052328.tif 000021
【図２０】
2005052328.tif 000022